【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
送信装置と通信を行う、アプリケーションがインストールされた端末によって実行されるプログラムであって、
前記送信装置の第１識別情報を、前記端末の通信部を介して前記送信装置から受信することと、
前記第１識別情報と関連付けられた、前記アプリケーションの第１アカウントに関するコンテンツを記憶する情報処理装置に、前記通信部を介して前記第１識別情報を送信することと、
前記第１アカウントの前記コンテンツの受信に関する判定条件を、前記情報処理装置から前記通信部を介して受信することと、
前記判定条件に基づいた判定を前記端末の制御部によって行うことと、
前記判定条件を満たすと判定された場合、前記第１識別情報と、前記アプリケーションにおける前記端末のユーザの第２識別情報とを前記情報処理装置に前記通信部を介して送信することと、
前記第１識別情報に関連付けられた、前記第１アカウントに関する前記コンテンツを、前記第２識別情報に基づき前記通信部を介して受信することとを含む。
【請求項２】
請求項１に記載のプログラムであって、
前記判定条件は、
前記第１アカウントと前記ユーザの第２アカウントとが関連付けられているかに関する条件を含む。
【請求項３】
請求項２に記載のプログラムであって、
前記第１アカウントと前記ユーザの第２アカウントとが関連付けられていないと判定された場合、前記第１アカウントに関する通知を、前記端末の表示部に表示することを含む。
【請求項４】
請求項３に記載のプログラムであって、
前記アプリケーションは、メッセージングアプリケーションであり、
前記第１アカウントに関する通知は、前記メッセージングアプリケーションによりメッセージによって通知される。
【請求項５】
請求項２から請求項４のいずれか一項に記載のプログラムであって、
前記判定条件は、前記送信装置から送信された前記第１識別情報の受信に基づき、前記送信装置によるサービスの提供を承諾することに関する条件を含む。
【請求項６】
請求項１から請求項５のいずれか一項に記載のプログラムであって、
前記判定条件は、ＵＲＬ情報を含み、
前記ＵＲＬ情報を前記情報処理装置から前記端末の通信部によって受信することを含む。
【請求項７】
請求項６に記載のプログラムであって、
前記ＵＲＬ情報は、アクションＵＲＬである。
【請求項８】
請求項１から請求項７のいずれか一項に記載のプログラムであって、
前記通信部は、第１通信部と、第２通信部とを含み、
前記第１通信部は、近距離通信に基づく通信を行い、
前記第１識別情報は、前記第１通信部を介して受信される。
【請求項９】
請求項８に記載のプログラムであって、
前記第２通信部は、ネットワークを介した通信を行い、
前記判定条件は、前記第２通信部を介して受信され、
前記第１識別情報と、前記第２識別情報とは、前記情報処理装置に前記第２通信部を介して送信される。
【請求項１０】
請求項１から請求項９のいずれか一項に記載のプログラムであって、
前記コンテンツは、前記アプリケーションによって前記端末の表示部に表示される。
【請求項１１】
請求項１０に記載のプログラムであって、
前記コンテンツは、前記アプリケーションによってメッセージ形式で前記端末の表示部に表示される。
【請求項１２】
送信装置と通信を行う、アプリケーションがインストールされた端末の制御方法であって、
前記送信装置の第１識別情報を、前記端末の通信部を介して前記送信装置から受信することと、
前記第１識別情報と関連付けられた、前記アプリケーションの第１アカウントに関するコンテンツを記憶する情報処理装置に、前記通信部を介して前記第１識別情報を送信することと、
前記第１アカウントの前記コンテンツの受信に関する判定条件を、前記情報処理装置から前記通信部を介して受信することと、
前記判定条件に基づいた判定を前記端末の制御部によって行うことと、
前記判定条件を満たすと判定された場合、前記第１識別情報と、前記アプリケーションにおける前記端末のユーザの第２識別情報とを前記情報処理装置に前記通信部を介して送信することと、
前記第１識別情報に関連付けられた、前記第１アカウントに関する前記コンテンツを、前記第２識別情報に基づき前記通信部を介して受信することとを含む。
【請求項１３】
送信装置と通信を行う、アプリケーションがインストールされた端末であって、
前記送信装置の第１識別情報を前記送信装置から受信し、前記第１識別情報と関連付けられた、前記アプリケーションの第１アカウントに関するコンテンツを記憶する情報処理装置に前記第１識別情報を送信し、前記第１アカウントの前記コンテンツの受信に関する判定条件を前記情報処理装置から受信する通信部と、
前記判定条件に基づいた判定を行う判定部と、
を備え、
前記通信部は、前記判定条件を満たすと判定された場合、前記第１識別情報と、前記アプリケーションにおける前記端末のユーザの第２識別情報とを前記情報処理装置に送信し、前記第１識別情報に関連付けられた、前記第１アカウントに関する前記コンテンツを、前記第２識別情報に基づき受信する。
【手続補正２】
【補正対象書類名】明細書
【補正対象項目名】０００８
【補正方法】変更
【補正の内容】
【０００８】
上述の問題を解決すべく、本発明の一実施形態に係る送信装置と通信を行う、アプリケーションがインストールされた端末によって実行されるプログラムは、送信装置の第１識別情報を、端末の通信部を介して送信装置から受信することと、第１識別情報と関連付けられた、アプリケーションの第１アカウントに関するコンテンツを記憶する情報処理装置に、通信部を介して第１識別情報を送信することと、第１アカウントのコンテンツの受信に関する判定条件を、情報処理装置から通信部を介して受信することと、判定条件に基づいた判定を端末の制御部によって行うことと、判定条件を満たすと判定された場合、第１識別情報と、アプリケーションにおける端末のユーザの第２識別情報とを情報処理装置に通信部を介して送信することと、第１識別情報に関連付けられた、第１アカウントに関するコンテンツを、第２識別情報に基づき通信部を介して受信することとを含む。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、本発明の一実施形態に係る送信装置と通信を行う、アプリケーションがインストールされた端末の制御方法は、送信装置の第１識別情報を、端末の通信部を介して送信装置から受信することと、第１識別情報と関連付けられた、アプリケーションの第１アカウントに関するコンテンツを記憶する情報処理装置に、通信部を介して第１識別情報を送信することと、第１アカウントのコンテンツの受信に関する判定条件を、情報処理装置から通信部を介して受信することと、判定条件に基づいた判定を端末の制御部によって行うことと、判定条件を満たすと判定された場合、第１識別情報と、アプリケーションにおける端末のユーザの第２識別情報とを情報処理装置に通信部を介して送信することと、第１識別情報に関連付けられた、第１アカウントに関するコンテンツを、第２識別情報に基づき通信部を介して受信することとを含む。
【手続補正７】
【補正対象書類名】明細書
【補正対象項目名】００１３
【補正方法】変更
【補正の内容】
【００１３】
また、本発明の一実施形態に係る送信装置と通信を行う、アプリケーションがインストールされた端末は、送信装置の第１識別情報を送信装置から受信し、第１識別情報と関連付けられた、アプリケーションの第１アカウントに関するコンテンツを記憶する情報処理装置に第１識別情報を送信し、第１アカウントのコンテンツの受信に関する判定条件を情報処理装置から受信する通信部と、判定条件に基づいた判定を行う判定部と、を備え、通信部は、判定条件を満たすと判定された場合、第１識別情報と、アプリケーションにおける端末のユーザの第２識別情報とを情報処理装置に送信し、第１識別情報に関連付けられた、第１アカウントに関するコンテンツを、第２識別情報に基づき受信する。